(57)【要約】      （修正有）【課題】吊り下げ具を保持する保持環を容易に交換可能な鞄を提供する。【解決手段】鞄１は、合成樹脂製の取付具８によって鞄１に取り付けられる構成の吊り下げ具７を有する。取付具８が、鞄１側に固定される鞄側固定部９と、吊り下げ具７を保持させる保持環２５を有するとともに、鞄側固定部９に対して着脱可能に係止される係止部２０と、を備える。吊り下げ具７が、係止部２０を鞄側固定部９に係止させることにより、保持環２５に保持された状態で、鞄１に取り付けられる。【選択図】図３
0003178979.tif 000002
【実用新案登録請求の範囲】
【請求項１】
合成樹脂製の取付具によって鞄に取り付けられる構成の吊り下げ具を有した鞄であって、
前記取付具が、前記鞄側に固定される鞄側固定部と、前記吊り下げ具を保持させる保持環を有するとともに前記鞄側固定部に対して着脱可能に係止される係止部と、を備える構成とされ、
前記吊り下げ具が、前記係止部を前記鞄側固定部に係止させることにより、前記保持環に保持された状態で、前記鞄に取り付けられる構成とされていることを特徴とする鞄。
【請求項２】
前記係止部が、略平板状の係止片と、該係止片の下側に配置される前記保持環と、を備える構成とされ、
前記鞄側固定部が、前記係止片を上方から挿入可能として、かつ、前記係止片を上下方向に略沿ってスライド移動可能に、上下方向に略沿って配置される凹溝を、備えるとともに、前記係止片の挿入時に、前記係止片のスライド方向と直交方向側の縁部の外周面側を係止可能に、構成され、
前記凹溝の下端近傍に、前記係止片の係止時において、前記係止片の下降移動を規制するストッパが、形成されていることを特徴とする請求項１に記載の鞄。
【請求項３】
前記保持環が、軸方向を前記係止片のスライド方向と略直交する方向に沿わせるように配置させて両端側を開口させた略円筒状として、長さ寸法を、前記係止片の幅寸法より小さくして、前記凹溝を挿通可能な寸法に、設定されて、前記鞄側固定部から下方に突出するように、形成されていることを特徴とする請求項２に記載の鞄。
【請求項４】
前記保持環が、前記吊り下げ具を挿通可能に、長さ方向の全域にわたって切り欠くように構成されるスリット状の開口を有するとともに、該開口を、前記係止部の前記鞄側固定部への係止時に、前記鞄側となる位置に配置させるように、構成され、
前記鞄側固定部が、前記係止部の係止時に、前記開口の近傍において前記開口と対向するように配置されて、前記開口からの前記吊り下げ具の抜けを防止する押え部を、備える構成とされていることを特徴とする請求項３に記載の鞄。
【請求項５】
前記鞄側固定部が、前記鞄と前記吊り下げ具との間に介在されるように、下方に延びて、前記吊り下げ具から前記鞄を保護可能とする保護板部を、備えていることを特徴とする請求項１乃至４のいずれか１項に記載の鞄。
【考案の詳細な説明】
【技術分野】
【０００１】
本考案は、吊り下げ具を有した鞄に関する。
【背景技術】
【０００２】
従来、吊り下げ具を有した鞄としては、吊り下げ具を、取付具を用いて、鞄に取り付けた構成のものがあった。吊り下げ具を鞄に取り付ける取付具としては、合成樹脂製として、鞄に取り付けられる取付基部と、吊り下げ具を吊り下げる保持環と、を有し、取付基部を、リベット等の固定手段を用いて、鞄に取り付ける構成のものがあった（例えば、特許文献１若しくは２参照）。
【先行技術文献】
【特許文献】
【０００３】
【特許文献１】特開２００２−３４６２８公報
【特許文献２】特開２００８−９３０２８公報
【考案の概要】
【考案が解決しようとする課題】
【０００４】
しかし、従来の鞄では、吊り下げ具を鞄に取り付ける取付具は、合成樹脂製とされていることから、使用時に、経年劣化等により、吊り下げ具を保持している保持環が破損してしまう場合があった。そして、保持環が破損してしまうと、取付具全体を交換する必要が生じ、修理業者に修理を依頼する等して、交換作業が煩雑となることから、このような交換作業を簡便とする点に、改善の余地があった。
【０００５】
本考案は、上述の課題を解決するものであり、吊り下げ具を保持する保持環を容易に交換可能な鞄を提供することを目的とする。
【課題を解決するための手段】
【０００６】
本考案に係る鞄は、合成樹脂製の取付具によって鞄に取り付けられる構成の吊り下げ具を有した鞄であって、
取付具が、鞄側に固定される鞄側固定部と、吊り下げ具を保持させる保持環を有するとともに鞄側固定部に対して着脱可能に係止される係止部と、を備える構成とされ、
吊り下げ具が、係止部を鞄側固定部に係止させることにより、保持環に保持された状態で、鞄に取り付けられる構成とされていることを特徴とする。
【０００７】
本考案の鞄では、吊り下げ具を鞄に取り付ける合成樹脂製の取付具が、鞄に固定される鞄側固定部と、吊り下げ具を保持させる保持環を有した係止部と、に、２分割されており、係止部は、鞄側固定部に対して着脱自在とされている。そのため、経年劣化等により、吊り下げ具を保持している保持環が破損してしまった場合には、係止部のみを、鞄側固定部から取り外して、交換すればよいことから、破損時の交換作業が容易であり、使用者にも、容易に交換することができる。
【０００８】
したがって、本考案の鞄では、吊り下げ具を保持する保持環を容易に交換することができる。
【０００９】
また、本考案の鞄において、係止部を、略平板状の係止片と、係止片の下側に配置される保持環と、を備える構成とし、
鞄側固定部を、係止片を上方から挿入可能として、かつ、係止片を上下方向に略沿ってスライド移動可能に、上下方向に略沿って配置される凹溝を、備えるとともに、係止片の挿入時に、係止片のスライド方向と直交方向側の縁部の外周面側を係止可能に、構成し、
凹溝の下端近傍に、係止片の係止時において、係止片の下降移動を規制するストッパを、形成することが好ましい。
【００１０】
鞄を上記構成とすれば、係止部の交換時に、係止部を、鞄側固定部に対して引き上げるように移動させれば、鞄側固定部から取り外すことができ、また、新しい係止部も、係止片を鞄側固定部に形成される凹溝に、上方から挿入させて、下方にスライド移動させれば、鞄側固定部に係止させることができて、交換作業が容易である。また、上記構成の鞄では、凹溝の下端近傍に、係止片の下降移動を規制するストッパが、形成されていることから、係止部を再度鞄側固定部に係止させる際に、係止片を凹溝に挿入させて下方に押し下げれば、ストッパにより係止片の下降移動を停止させることができて、凹溝に対して係止片を位置決めできることから、係止部の交換作業がさらに容易となる。また、上記構成の鞄では、係止片におけるスライド方向と直交方向側の縁部も、外周面側を鞄側固定部により係止される構成であることから、係止片は、上方を除いた下方と、スライド方向と直交方向側の二方と、の三方を、鞄側固定部に係止されることとなって、吊り下げ具に多少重いものを吊り下げて使用した際に、係止片が、下方や側方に引っ張られることとなっても、凹溝との係止状態を解除されず、吊り下げ具を、保持環により安定して保持させておくことができる。
【００１１】
さらに、上記構成の鞄において、保持環を、軸方向を係止片のスライド方向と略直交する方向に沿わせるように配置させて両端側を開口させた略円筒状として、長さ寸法を係止片の幅寸法より小さくして凹溝を挿通可能な寸法に、設定して、鞄側固定部から下方に突出するように、形成すれば、係止部を鞄側固定部から取り外す際に、保持環を指等により上方に押し上げれば、係止片を上方にスライド移動させることができて、係止部の鞄側固定部からの取り外し作業が一層容易となって好ましい。
【００１２】
さらにまた、上記構成の鞄において、保持環を、吊り下げ具を挿通可能に、長さ方向の全域にわたって切り欠くように構成されるスリット状の開口を有するとともに、開口を、係止部の鞄側固定部への係止時に、鞄側となる位置に配置させるように、構成し、
鞄側固定部を、係止部の係止時に、開口の近傍において開口と対向するように配置されて、開口からの吊り下げ具の抜けを防止する押え部を、備える構成とすることが好ましい。
【００１３】
上記構成の鞄では、吊り下げ具も、保持環に形成される開口を挿通させるようにして、係止部に対して着脱自在であることから、吊り下げ具のみが破損した際に、吊り下げ具のみを交換することもできる。また、係止部を鞄側固定部に係止させた状態では、この吊り下げ具挿通用の開口近傍には、鞄側固定部の押え部が配置されることとなり、この押え部によって、開口からの吊り下げ具の抜けが抑制されることから、使用時には、吊り下げ具を、保持環により安定して保持させておくことができる。
【００１４】
さらにまた、上記構成の鞄において、鞄側固定部に、鞄と吊り下げ具との間に介在されるように、下方に延びて、吊り下げ具から鞄を保護可能とする保護板部を、配設させる構成とすれば、使用時に、吊り下げ具から鞄を保護することもできて、好ましい。
【図面の簡単な説明】
【００１５】
【図１】本考案の一実施形態であるランドセルの概略斜視図である。
【図２】図１のランドセルにおいて、吊り下げ具を取り付けた取付具付近を示す部分拡大斜視図である。
【図３】図２の取付具において、係止部を鞄側固定部から取り外した状態を示す分解斜視図である。
【図４】鞄側固定部の右側面図である。
【図５】図４のＶ−Ｖ部位の断面図である。
【図６】図４のVI−VI部位の断面図である。
【図７】図４のVII−VII部位の断面図である。
【図８】吊り下げ具を保持させた状態の係止部の右側面図である。
【図９】図８の係止部の左側面図である。
【図１０】図８のＸ−Ｘ部位の断面図である。
【図１１】図２の取付具の前後方向側に沿った横断面図である。
【図１２】図２の取付具の上下方向側に沿った縦断面図である。
【考案を実施するための形態】
【００１６】
以下、本考案の一実施形態を図面に基づいて説明する。実施形態では、鞄として、ランドセルを例に採り説明する。
【００１７】
なお、実施形態では、特に断らない限り、上下前後左右の方向を、人に背負われる状態での上下・前後・左右の方向と一致させて、説明をする。
【００１８】
ランドセル１は、図１に示すように、教科書等を収納可能に上方を開口させた略直方体状の収納部３と、収納部３の開口を覆う蓋部４と、使用時に背負うための２本の背負いベルト部５，５と、を備える構成とされて、実施形態では、収納部３の上端側において、水平方向に略沿って配置されるマチベルト３ａの部位に、取付具８によって、吊り下げ具としてのナスカン７を取り付けた構成とされている。なお、実施形態では、図１，２に示すように、収納部３において、蓋部４から露出している右側壁３ｂの領域に配置されるマチベルト３ａの部位に取り付けられる取付具８とナスカン７とを有したランドセル１を例に採り、説明する。なお、実施形態では、吊り下げ具として、上端側に長手方向を前後方向に略沿わせた長円状の連結環７ａを有する金属製のナスカン７が、使用されている（図２，３，８参照）
吊り下げ具としてのナスカン７をランドセル１に取り付ける取付具８は、合成樹脂製とされるもので、図２，３に示すように、鞄としてのランドセル１側に固定される鞄側固定部９と、ナスカン７を保持する係止部２０と、を備える構成とされ、係止部２０は、鞄側固定部９に対して着脱可能に係止される構成である。
【００１９】
鞄側固定部９は、図３，４に示すように、右側壁３ｂ側に固定される固定部本体１０と、固定部本体１０から下方に延びるように形成される保護板部１８と、を備えている。
【００２０】
固定部本体１０は、図４に示すように、マチベルト３ａの外表面（右側面）側を覆うような略板状とされるとともに、マチベルト３ａの上下両端側を覆うように、上端側と下端側とを、右側壁３ｂ側に向かって突出させて、右側壁３ｂに当接させるように、構成されている(図６，７参照)。換言すれば、固定部本体１０は、右側壁側の面に、マチベルト３ａを挿通可能に前後方向に沿って貫通して形成される凹部１０ａを有する構成として、この凹部１０ａにマチベルト３ａを挿通させて、マチベルト３ａの周囲を囲むように、配設されている。また、固定部本体１０の右側面１０ｄ側には、図４〜６に示すように、係止部２０の後述する係止片２１を上方から挿入可能として、かつ、係止片２１を上下方向に略沿ってスライド可能とされる凹溝１１が、配置されている。この凹溝１１は、係止片２１を挿入可能に、上端１１ａ側を開口させて構成されるとともに、係止片２１の係止時に保持環２５を下方に突出可能に、下端１１ｂ側も開口させて構成されるもので、詳細には、開口幅寸法Ｄ１（図４参照）を、保持環２５を挿通可能に、保持環２５の前後の幅寸法Ｔ１（図８参照）と略一致させて構成されて、内側となる右側壁３ｂ側にかけて拡開されるような断面略台形状として、構成されている（図５参照）。換言すれば、凹溝１１は、前後両端側に配置される前壁面１２と後壁面１３とを、底部１４側にかけて前後方向の外方に向けるように、前後方向に対して傾斜させて構成されるもので、この前壁面１２と後壁面１３との傾斜は、係止片２１の前縁２２及び後縁２３の外周面２２ａ，２３ａの傾斜に対応した形状とされ、この前壁面１２と後壁面１３とにより、図１１に示すように、係止片２１の前縁２２及び後縁２３（係止片２１のスライド方向と直交方向側の縁部）の外周面２２ａ，２３ａ側（右方側）を係止する構成とされている。
【００２１】
また、実施形態の固定部本体１０では、図５，７に示すように、凹溝１１の下端１１ｂ側において、前壁面１２と後壁面１３との直下となる部位は、閉塞されている。この前壁面１２と後壁面１３との直下の部位は、係止片２１の係止時に、係止片２１の下端面２１ｃと当接可能に構成されており、係止片２１の下降移動を規制するストッパ１５を、構成している。さらに、実施形態の固定部本体１０は、図６に示すように、凹溝１１の下側において、下方を左方（右側壁３ｂ側）に向けるように、外周面を上下方向に対して傾斜させて構成されている。そして、実施形態の固定部本体１０では、凹溝１１の直下に位置する傾斜面１０ｂが、係止片２１の係止時に、図１２に示すように、保持環２５に形成される開口２６近傍であって、開口２６と対向するように配置されて、開口２６からのナスカン７の抜けを防止する押え部１６を、構成している。そして、実施形態の固定部本体１０は、凹溝１１の底部１４の領域を、固定手段としてのビス（図符号省略）を用いて固定させることにより、右側壁３ｂ（ランドセル１側）に固定されている（図４〜６参照）。そして、鞄側固定部９（固定部本体１０）を右側壁３ｂに固定させるビスは、係止部２０を係止させた状態では、係止片２１に覆われて、露出されないこととなる（図２，１１，１２参照）。
【００２２】
保護板部１８は、係止片２１の係止時に、図２，１２に示すように、ナスカン７の左方を略全域にわたって覆い可能な上下に延びる長尺板状とされて、実施形態の場合、ナスカン７の当接し難い中央側の領域に、上下に２つの開口１８ａを並設させて構成されている。これらの開口１８ａは、軽量化及び材料軽減のために、形成されている。この保護板部１８は、図６，７に示すように、右側壁３ｂに当接するように配置されて、係止片２１の係止時に、右側壁３ｂとナスカン７との間に介在されて、ナスカン７から右側壁３ｂを保護することとなる。
【００２３】
ナスカン７を保持する係止部２０は、図３，８，９に示すように、略平板状の係止片２１と、係止片２１の下側に配置されてナスカン７を保持する保持環２５と、を備えている。
【００２４】
係止片２１は、実施形態の場合、長手方向を上下方向に略沿わせた略長方形板状として、前縁２２と後縁２３とを、右方にかけて前後方向の内方に向けるように傾斜させるように、断面形状を扁平な略台形状として、構成されている（図８，１１参照）。この係止片２１は、固定部本体１０の凹溝１１に挿入させた際に、前縁２２及び後縁２３の外周面２２ａ，２３ａを、それぞれ、凹溝１１の前壁面１２及び後壁面１３に、係止される構成であり、詳細には、凹溝１１に挿入させた際に、凹溝１１との間に隙間を設けない状態として、かつ、上端面２１ａを固定部本体１０の上端面１０ｃと略面一とさせ、右側面２１ｂを固定部本体１０の右側面１０ｄと略面一とさせるようにして、全体を凹溝１１内に収納されるように構成されている（図１１，１２参照）。
【００２５】
保持環２５は、前後方向の幅寸法Ｔ１を、係止片２１自体の前後方向の幅寸法Ｔ２（図８参照）より小さくして、係止片２１の右側面２１ｂの前後方向の幅寸法Ｔ３（凹溝１１の開口幅寸法Ｄ１と一致、図８参照）と略同一の幅寸法に設定される板状の部材を屈曲させるようにして、構成されるもので、詳細には、この板状の部材を、図１０に示すように、一旦右方に突出させつつ、先端を左上方に向けるように、断面略円弧状に屈曲させたような形状とされている。すなわち、保持環２５は、軸方向を、係止片２１のスライド方向（上下方向）と略直交する前後方向に沿わせるように配置させて、両端側を開口させた略円筒状として、長さ寸法（前後方向の幅寸法Ｔ１）を、係止片２１の前後方向の幅寸法Ｔ２より小さくして、凹溝１１に挿通可能な寸法に、設定されている。また、この保持環２５は、係止片２１よりも右方に突出するように形成されるとともに、係止片２１の凹溝１１への係止時に、固定部本体１０から下方に突出するように、配置されることとなる。そして、実施形態の保持環２５では、この板状の部材の先端と元部側の部位との間に生じる隙間が、ナスカン７を挿通可能に、長さ方向の全域にわたって切り欠くように構成されるスリット状の開口２６を、構成している（図１０，１１参照）。詳細には、保持環２５は、ナスカン７に形成される長尺状の連結環７ａに挿通可能な構成とされ、また、保持環２５に形成される開口２６は、開口幅寸法Ｄ２（図１０参照）を、この連結環７ａを挿通可能な寸法に、設定されている。すなわち、実施形態の係止部２０では、ナスカン７を着脱可能に保持させる構成である。また、この保持環２５の開口２６は、ナスカン７を保持させた係止部２０を鞄側固定部９に係止させた状態では、ランドセル１側となる左側に配置されるもので、詳細には、図１２に示すように、固定部本体１０において凹溝１１の下側に配置される傾斜面１０ｂからなる押え部１６の近傍に、配置される構成である。この押え部１６は、上述したごとく、開口２６からのナスカン７の抜けを防止するもので、係止部２０は、開口２６からのナスカン７の抜けを防止された状態で、ランドセル１に取り付けられることとなる。
【００２６】
なお、実施形態では、係止片２１の凹溝１１への係止時に、係止片２１の外表面と、凹溝１１の内表面と、は、隙間なく密接される構成である。そして、実施形態では、鞄側固定部９と係止部２０とは、ポリアミド樹脂（ナイロン樹脂）から、形成されている。鞄側固定部９と係止部２０とをポリアミド樹脂（ナイロン樹脂）によって形成することにより、鞄側固定部９と係止部２０とは、適度な剛性を有し、かつ、係止片２１の凹溝１１からの容易な抜けを防止可能に、係止片２１の凹溝１１に対するスライド移動時に両者の接触面に適度な摩擦力を発生させることができる。そして、実施形態では、鞄側固定部９と係止部２０とが、ポリアミド樹脂（ナイロン樹脂）から形成されていることから、係止片２１が凹溝１１から容易に抜け難く、例えば、使用時に、不用意に、係止片２１が凹溝１１から抜けてしまうことを防止できる。また、実施形態では、係止片２１と凹溝１１との接触面に生じる摩擦力は、大きなものではなく、凹溝１１に係止片２１を係止させた状態で、保持環２５を指で押し上げれば、係止片２１を凹溝１１に対して上方にスライド移動させることができて、係止片２１を固定部本体１０から容易に取り外すことができる。
【００２７】
そして、実施形態のランドセル（鞄）１では、吊り下げ具としてのナスカン７をランドセル１に取り付ける合成樹脂製の取付具８が、ランドセル１に固定される鞄側固定部９と、ナスカン７を保持させる保持環２５を有した係止部２０と、に、２分割されており、係止部２０は、鞄側固定部９に対して着脱自在とされている。そのため、経年劣化等により、保持環２５が破損してしまった場合には、係止部２０のみを、鞄側固定部９から取り外して、交換すればよいことから、破損時の交換作業が容易であり、使用者や使用者の親等にも、容易に交換することができる。
【００２８】
したがって、実施形態のランドセル（鞄）１では、吊り下げ具としてのナスカン７を保持する保持環２５を容易に交換することができる。
【００２９】
具体的には、実施形態のランドセル１では、取付具８の係止部２０が、略平板状の係止片２１と、係止片２１の下側に配置される保持環２５と、を備える構成とされて、鞄側固定部９が、係止片２１を上方から挿入可能として、かつ、係止片２１を上下方向に略沿ってスライド移動可能に、上下方向に略沿って配置される凹溝１１を、備えるとともに、係止片２１の挿入時に、係止片２１のスライド方向と直交方向側となる前縁２２及び後縁２３の外周面２２ａ，２３ａ側を係止可能な構成とされている。そのため、係止部２０の交換時に、係止部２０を、鞄側固定部９に対して引き上げるように移動させれば、鞄側固定部９から取り外すことができ、また、新しい係止部２０も、係止片２１を、鞄側固定部９に形成される凹溝１１に、上方から挿入させて、下方にスライド移動させれば、鞄側固定部９に係止させることができて、交換作業が容易である。また、実施形態のランドセル１では、凹溝１１の下端近傍に、係止片２１の下降移動を規制するストッパ１５が、形成されていることから、係止片２１を凹溝１１に挿入させて下方に押し下げれば、ストッパ１５により係止片２１の下降移動を停止させることができて、凹溝１１に対して係止片２１を位置決めできることから、係止部２０の交換作業がさらに容易となる。また、実施形態のランドセル１では、係止片２１におけるスライド方向と直交方向側の縁部（前縁２２及び後縁２３）も、外周面２２ａ，２３ａ側を凹溝１１の前壁面１２及び後壁面１３により係止される構成であることから、係止片２１は、上方を除いた下方と、スライド方向と直交方向側の二方である前方及び後方と、の三方を、鞄側固定部９に係止されることとなって、ナスカン７に多少重いものを吊り下げて使用した際に、係止片２１が、下方や側方に引っ張られることとなっても、凹溝１１との係止状態を解除されず、ナスカン７を、保持環２５により安定して保持させておくことができる。
【００３０】
さらに、実施形態のランドセル１では、保持環２５を、軸方向を係止片２１のスライド方向と略直交する前後方向に沿わせるように配置させて両端側を開口させた略円筒状として、長さ寸法を係止片２１の幅寸法より小さくして凹溝１１を挿通可能な寸法に、設定して、鞄側固定部９の固定部本体１０から下方に突出するように、形成している。そのため、係止部２０を鞄側固定部９から取り外す際に、保持環２５を指等により上方に押し上げれば、係止片２１を上方にスライド移動させることができて、係止部２０の鞄側固定部９からの取り外し作業が一層容易である。勿論このような点を考慮しなければ、保持環を、略円筒状とせず、単なるリング状として、構成してもよい。
【００３１】
さらにまた、実施形態のランドセル１では、保持環２５が、ナスカン７の連結環７ａを挿通可能に、長さ方向の全域にわたって切り欠くように構成されるスリット状の開口２６を有するとともに、開口２６を、係止部２０の鞄側固定部９への係止時に、ランドセル１側となる位置に配置させるように、構成され、鞄側固定部９が、係止部２０の係止時に、開口２６の近傍において開口２６と対向するように配置されて、開口２６からのナスカン７の抜けを防止する押え部１６を、備えている。すなわち、実施形態のランドセル１では、ナスカン７も、保持環２５に形成される開口２６を挿通させるようにして、係止部２０に対して着脱自在であることから、ナスカン７のみが破損した際に、ナスカン７のみ交換することもできる。また、係止部２０を鞄側固定部９に係止させた状態では、この吊り下げ具挿通用の開口２６近傍には、鞄側固定部９の押え部１６が配置されることとなり、この押え部１６によって、開口２６からのナスカン７の抜けが抑制されることから、使用時には、ナスカン７を、保持環２５により安定して保持させておくことができる。勿論、このような点を考慮しなければ、保持環に対してナスカン７を着脱自在な構成としなくともよく、また、保持環にナスカン挿通用の開口を設ける場合にも、鞄側固定部に、開口近傍に配置される押え部を配設させなくともよい。
【００３２】
さらにまた、実施形態のランドセル１では、鞄側固定部９に、ランドセル１とナスカン７との間に介在されるように、下方に延びて、ナスカン７からランドセル１を保護可能とする保護板部１８を、配設させていることから、使用時に、金属製のナスカン７からランドセル１を保護することができる。勿論、このような点を考慮しなければ、鞄側固定部として、保護板部を備えない構成のものを使用してもよい。
【００３３】
なお、実施形態では、鞄として、ランドセルを例に採り説明しているが、本考案は、ランドセルに限られるものではなく、例えば、リュックサック等にも適用可能である。また、実施形態では、ランドセルの収納部の右側壁に、ナスカンを保持させた取付具を取り付けているが、取付具の配置位置はこれに限られるものではなく、例えば、背負いベルト部の領域に、ナスカンを保持させた取付具を取り付ける構成としてもよい。さらに、実施形態では、吊り下げ具として、ナスカン７が使用されているが、吊り下げ具としては、ナスカンに限られるものではなく、例えば、Ｄ環等も、使用可能である。
【符号の説明】
【００３４】
１…ランドセル（鞄）、３ａ…マチベルト、３ｂ…右側壁、７…ナスカン（吊り下げ具）、８…取付具、９…鞄側固定部、１１…凹溝、１５…ストッパ、１６…押え部、１８…保護板部、２０…係止部、２１…係止片、２２…前縁、２３…後縁、２５…保持環、２６…開口。
【図１】
0003178979.tif 000003
【図２】
0003178979.tif 000004
【図３】
0003178979.tif 000005
【図４】
0003178979.tif 000006
【図５】
0003178979.tif 000007
【図６】
0003178979.tif 000008
【図７】
0003178979.tif 000009
【図８】
0003178979.tif 000010
【図９】
0003178979.tif 000011
【図１０】
0003178979.tif 000012
【図１１】
0003178979.tif 000013
【図１２】
0003178979.tif 000014